(57)【要約】      （修正有）【課題】かき分ける作業を少なくし、施術時間を短縮しながら、美しい装着ができる、まつ毛エクステンションの施術方法を提供する。【解決手段】上まつ毛４を下方部から一列に層に分けて、最上部まで、順番にアイパックシート２１で下瞼に固定する工程と、上方から上まつ毛４に人工毛を装着して、上瞼に貼りつつけて、順々に、人工毛を貼りつける工程と、上瞼に貼りつけたアイシート２１を剥す工程からなることを特徴とする。【選択図】図３
2020172733.tif 000002
【特許請求の範囲】
【請求項１】
上まつ毛を下方部から一列に層に分けて、最上部まで、順番にアイパックシートで下瞼に固定する工程と、上方から上まつ毛に人工毛を装着して、上瞼に貼りつつけて、順々に、人工毛を貼りつける工程と、上瞼に貼りつけたアイシートを剥す工程からなることを特徴とするまつ毛エクステンションの施術方法。
【発明の詳細な説明】
【技術分野】
【０００１】    本発明は、従来のまつ毛エクステンションの施術方法と異なり、上まつ毛をアイパックシートで横一列ごとにセクション（層）にわけて、セクションごとの上まつ毛に人工毛を装着する、従来の装着方法よりも時間を短くまつ毛エクステンションを装着できる施術方法である
【背景技術】
【０００２】従来のまつ毛エクステンションは、自まつ毛に対し、人工毛を装着するものである。従来の上まつ毛の装着は、下まつ毛をテープで下瞼に固定し、全ての上まつ毛が並び、全ての上まつ毛が見えている状態で上まつ毛をツイザーでかきわけて、人工毛を装着する。
【先行技術文献】
【特許文献】
【０００３】
【特許文献１】特許第６０９６３６１号公報
【発明の概要】
【発明が解決しようとする課題】従来の上まつ毛エクステンション装着方法では、上まつ毛全てが並んだ状態で、装着する上まつ毛を選定するために、上まつ毛をツイザーでかき分けながら、まつ毛エクステンション用人工毛を装着するため、装着が完了するまでに時間を要する。本発明は、かき分ける作業を少なくし、施術時間を短縮しながら、美しい装着ができることを目標とする。
【課題を解決するための手段】
【０００４】本発明の装着方法は、上まつ毛全てが並んだ状態から、上まつ毛を層ごとに上瞼のラインに沿って、上まつ毛を仕分けする。仕分けした上まつ毛を層ごとにアイパックシートで固定し、見える上まつ毛を少なくし、ツイザーでかきわける行為をなるべく少なくし、施術時間を短くする。
【発明の効果】
【０００５】通常に装着する場合、１時間から２時間かかるが、３０分〜４０分ほどで美しいエクステンションの装着が可能となる。
【図面の簡単な説明】
【０００６】１  眉毛
２  アイパックシート
２１  アイパックシート
２２  アイパックシート
２３  アイパックシート
３  テープ
４  上まつ毛
５  指
６  ツイザー
７  人工毛
８  ミスト
９  鼻
１０  眼
１１  口
１２  上瞼
１３  下瞼
１４  毛穴
１５  人口毛を装着した上まつ毛
１６  スクリューブラシ
【発明を実施するための形態】
【０００７】本発明は、従来のまつ毛エクステンションの施術方法と異なり、上まつ毛をアイパックシートで横一列ごとにセクションにわけて、セクションごとの上まつ毛に人工毛を装着する、従来の装着方法よりも時間を短くまつ毛エクステンションを装着できる施術方法である。
【０００８】以下、本発明のまつ毛エクステンションの施術方法について、図１〜図１０を用いて説明する。
【０００９】図１のように、エクステンション施術は、目をつぶった状態で、下まつ毛（テープで隠れている）を、ほぼ全部を隠すように粘着テープであるテープ３で固定した状態が、施術の開始状態である。図１の状態から装着を開始する。
【００１０】図１のように下まつ毛全体を隠すようにテープ３で固定した後、アイパックシート２１で上まつ毛４を上瞼１２に図２のように固定をする。
このとき上まつ毛の毛穴１４から約１ミリから１．５ミリ離してアイパックシートを貼り付ける。
アイパックシートの裏面には粘着剤がついており、上瞼１２に貼りつく。
【００１１】図２の状態の後、図３のように指５でアイパックシート２１を抑え、ツイザー６にて上瞼の粘膜に近い部分から上まつ毛４を上まつ毛の毛穴１４、１列〜２列を目安にアイパックシート２１から目の粘膜のラインに沿ってかきだす。かきだされた上まつ毛４の本数の目安は、２０本ほどとする。
【００１２】図４が、一部の上まつ毛４をアイパックシート２１からかきだした状態。
【００１３】図４でかきだした上まつ毛４を図５のようにアイパックシート２１で下瞼に貼り付ける。
【００１４】図６のように上瞼１２側の一番上の層の上まつ毛が２０本ほどになる状態まで図３〜図５の作業を繰り返し、アイパックシート２を下瞼１３側に上まつ毛４と共に貼り付け、アイパックシートを重ねていく。この時の重ねるアイパックシートの数は何枚でも良い。
【００１５】図７ように、人工毛７を上まつ毛に１本もしくは複数本装着する。
装着時には、専用の接着剤を人口毛７の根本に付けて装着する。
【００１６】図８のように、人工毛を装着した上まつ毛１５をアイパックシート２１で上瞼１２に貼り付け、下瞼に上まつ毛４と共に貼り付けているアイパックシート２３を剥がし、隠れていた上まつ毛を見えるようにする。
【００１７】図８の動作の後、図７〜図８の動作を、求めている人工毛装着本数になるまで繰り返す。
【００１８】求めている装着本数になったら、アイパックシートを剥がし、図９のように人工毛を装着した上まつ毛１５全てが見える状態にし、水の入ったミスト８を上まつ毛全体にかける。ミストをかけることで、上まつ毛についた癖をとる。
【００１９】図１０のように、アイパックシート２１で人工毛を装着した上まつ毛１５を全て上瞼に貼り付け、５分ほど放置する。
【００２０】図１１のように、アイパックシートと下まつ毛を留めていたテープを剥がし、上まつ毛と、人工毛を装着した上まつ毛１５が全て並んで見える状態にし、スクリューブラシ１６で方向性を整え、完了。
【図１】
2020172733.tif 000003
【図２】
2020172733.tif 000004
【図３】
2020172733.tif 000005
【図４】
2020172733.tif 000006
【図５】
2020172733.tif 000007
【図６】
2020172733.tif 000008
【図７】
2020172733.tif 000009
【図８】
2020172733.tif 000010
【図９】
2020172733.tif 000011
【図１０】
2020172733.tif 000012
【図１１】
2020172733.tif 000013
【手続補正書】
【提出日】令和1年10月8日(2019.10.8)
【手続補正１】
【補正対象書類名】明細書
【補正対象項目名】０００６
【補正方法】変更
【補正の内容】
【０００６】
【図１】上まつ毛に人工毛を装着できるように、下まつ毛をテープで固定した状態を表す図である。
【図２】上まつ毛をセクションごとに分けるために、アイパックシートで上まつ毛を上瞼に貼り付けた状態を表す図である。
【図３】目の粘膜に沿って、ツイザーで上まつ毛の一部をアイパックシートからかきだしている図である。
【図４】目の粘膜に沿って、上まつ毛の一部をかきだし、セクションに分けた図である。
【図５】セクションに分けた上まつ毛を、アイパックシートで留めている図である。
【図６】図３〜図５の作業を数回繰り返し、上まつ毛を数セクションに分けきった図である。
【図７】数セクションに分けた上まつ毛の一番上の層に、人工毛を装着している図である。
【図８】人工毛を装着後の上まつ毛のセクションをアイパックシートで上瞼に留め、下瞼に張り付けているアイパックシートを一枚剥がし、次のセクションの上まつ毛をだしている図である。
【図９】人工毛の装着が完了し、ミストをかけている図である。
【図１０】人工毛の装着が完了した全ての上まつ毛をアイパックシートで上瞼に固定している図である。
【図１１】人工毛装着後の上まつ毛の毛並びを整えている図である